(57)【特許請求の範囲】
【請求項１】
外周部に側枠を設けるとともに、短辺側の側枠がその中間部で内方に屈曲され長辺側に折り畳まれるようにした折り畳み式ベビーベットにおいて、床板の一側縁部を左右の前部コーナ支柱の中間部を連結する上部横桟で支持するとともに、上記床板の他側縁部を上記短辺側の側枠から突設されたピンによって上記床板が上記ピンに載置されるように支持するようにし、左右の後部コーナ支柱を連結する下部横桟にベビーベットの折り畳み時に床板を支持する床板支持具を設け、
上記短辺側の側枠が、中央部で折り畳み可能な側枠部により構成されており、上記短辺側の側枠を折り畳んだときに、一方の側枠部に設けられた貫通孔にボルトを挿通して他方の側枠部に設けられた植込みナットに螺着することによって上記両側枠部が折り畳んだ状態に固定され、
上記床板に植込みナットが設けられており、上記床板が上記上部桟橋および上記ピン上に載置されたときに上記側枠に突設されている貫通孔に上記折り畳み状態を保持するためのボルトを挿通して上記床板の植込みナットに螺着することによって上記床板が上記側枠に固定されることを特徴とする、折り畳み式ベビーベット。
【請求項２】
短辺側の側枠が、左右の後部コーナ支柱に固設された幅狭の固定側枠部と、中央部で折り畳み可能な側枠部により構成されており、上記折り畳み可能な側枠部の両側部が前部コーナ支柱及び上記固定側枠部に枢着されていることを特徴とする、請求項１記載の折り畳み式ベビーベット。
【請求項３】
床板の他側縁部を支持するピンは、折り畳み可能な側枠部から突設されており、長辺側の後部側枠と上記ピンとの間隔が少なくとも床板の厚さ以上とされていることを特徴とする、請求項２記載の折り畳み式ベビーベット。
【請求項４】
長辺側の後部側枠と折り畳まれた側枠部との間に床板及びマットを収納するようにしたことを特徴とする請求項２記載の折り畳み式ベビーベッド。
【請求項５】
折り畳み可能な側枠部には、その折り畳み状態を保持するねじ取付部が設けられていることを特徴とする、請求項１乃至４のいずれかに記載の折り畳み式ベビーベット。
【発明の詳細な説明】
【０００１】
【発明の属する技術分野】
本発明は折り畳み式のベビーベットに関する。
【０００２】
【従来の技術】
一般に、乳幼児を寝かせておくベビーベットにおいては、寝返りなどによる乳幼児の万一の転落を防止するため、その四周に所定高さの縦格子状の側枠が設けられている。ところが、このようなベビーベットは、比較的スペースをとることから不使用時に邪魔になる。そこで、短辺側の側枠を中央より内方に屈曲させ長辺側に折り畳み可能として収納に便利なようにするとともに、床板を一方の長辺側のコーナ支柱に回動可能に軸支し、折り畳み時には、上記床板を軸支部を支点として上方に回動した後、短辺側の側枠を中央より内方に屈曲することによって、側枠と床板とを一体に折り畳むことできるようにしたものが提案されている（実開平７−１４９５７号公報）
【０００３】
【発明が解決しようとする課題】
ところが、上述の如き折り畳み式のベビーベットは、床板がコーナ支柱に軸支してあるため、床板を必要に応じて着脱することができず、また折り畳み時に床板を上方に回動させるものであるため、収納のためベビーベットを折り畳んだときに重心が上方位置になり安定性が悪い等の問題がある。
【０００４】
本発明はこのような点に鑑み、床板を着脱可能で、かつ折り畳んだベビーベット内に容易に収納でき、しかも折り畳んだベット内に床板を収納したときその重心を下方に位置させ、安定性が良くなるようにした折り畳み式ベビーベットを得ることを目的とする。
【０００５】
【課題を解決するための手段】
請求項１に係る発明は、外周部に側枠を設けるとともに、短辺側の側枠がその中間部で内方に屈曲され長辺側に折り畳まれるようにした折り畳み式ベビーベットにおいて、床板の一側縁部を左右の前部コーナ支柱の中間部を連結する上部横桟で支持するとともに、上記床板の他側縁部を上記短辺側の側枠から突設されたピンによって上記床板が上記ピンに載置されるように支持するようにし、左右の後部コーナ支柱を連結する下部横桟にベビーベットの折り畳み時に床板を支持する床板支持具を設け、上記短辺側の側枠が、中央部で折り畳み可能な側枠部により構成されており、上記短辺側の側枠を折り畳んだときに、一方の側枠部に設けられた貫通孔にボルトを挿通して他方の側枠部に設けられた植込みナットに螺着することによって上記両側枠部が折り畳んだ状態に固定され、上記床板に植込みナットが設けられており、上記床板が上記上部桟橋および上記ピン上に載置されたときに上記側枠に突設されている貫通孔に上記折り畳み状態を保持するためのボルトを挿通して上記床板の植込みナットに螺着することによって上記床板が上記側枠に固定されることを特徴とする、折り畳み式ベビーベットである。
【０００６】
請求項２に係る発明は、請求項１に係る発明において、短辺側の側枠が、左右の後部コーナ支柱に固設された幅狭の固定側枠部と、中央部で折り畳み可能な側枠部により構成されており、上記折り畳み可能な側枠部の両側部が前部コーナ支柱及び上記固定側枠部に枢着されていることを特徴とする。
【０００７】
請求項３に係る発明は、請求項２に係る発明において、床板の他側縁部を支持するピンは、折り畳み可能な側枠部から突設されており、長辺側の後部側枠と上記ピンとの間隔が少なくとも床板の厚さ以上とされていることを特徴とする。
【０００８】
請求項４に係る発明は、請求項２に係る発明において、長辺側の後部側枠と折り畳まれた側枠部との間に床板及びマットを収納するようにしたことを特徴とする。
【０００９】
請求項５に係る発明は、請求項１乃至４のいずれかに係る発明において、折り畳み可能な側枠部には、その折り畳み状態を保持するねじ取付部が設けられていることを特徴とする。
【００１０】
【発明の実施の形態】
以下、添付図面を参照して本発明の実施の形態について説明する。
【００１１】
図１は、本発明に係るベビーベットの斜視図であって、平面視で長方形をなし、その長方形の各隅角部にはコーナ支柱１ａ，１ｂ，１ｃ，１ｄが配設されており、各コーナ支柱間には縦格子状の側枠が設けられている。
【００１２】
すなわち、コーナ支柱１ａ，１ｂはその最下部が下部横桟２によって互いに連結されるとともに、コーナ支柱１ａ，１ｂ間の上半部には長辺側の後部側枠３が配設され、その後部側枠３によって左右のコーナ支柱１ａ，１ｂが一体に連結されている。また、前部の左右のコーナ支柱１ｃ，１ｄはその中間部と最下部が上部横桟４及び下部横桟５によって互いに連結されている。さらに、コーナ支柱１ｂと１ｃ間、及びコーナ支柱１ｄと１ａ間には、その上半部にそれぞれ短辺側の側枠６，７が配設され、その側枠６，７によってコーナ支柱１ｂと１ｃ及びコーナ支柱１ｄと１ａが連結されている。
【００１３】
一方、前部の左右のコーナ支柱１ｃ，１ｄ間には長辺側の前部側枠８が配設されている。上記前部側枠８の両側部には図示しない係合片が突設してあり、その係合片が左右のコーナ支柱１ｃ，１ｄの対向面に設けられた縦方向に延びる溝９に摺動可能に係合されており、上記前部側枠８が、上記左右のコーナ支柱１ｃ，１ｄに沿って上下スライド可能としてある。すなわち、前部枠体８によって上下動可能な開閉扉が構成されている。
【００１４】
上記前部側枠８の左右の縦枠部材８ａ，８ｂにはその上部に、それぞれ内側方から外側方へスプリング（図示せず）によって突出するように付勢されたスライドラッチ１０が設けられており、前部側枠８が上方の閉位置にあるとき、そのスライドラッチ１０の先端が左右のコーナ支柱１ｃ，１ｄの互いに対向する面に設けられた係止孔（図示せず）に挿入係合され、前部側枠８がその閉位置に保持されるようにしてある。
【００１５】
しかして、上記スライドラッチ１０を操作し、その先端をコーナ支柱１ｃ，１ｄの係止孔から引き抜くことによって、前部側枠８を下方に移動させ、前部側枠８を図２に示す開状態に位置させることができる。なお、図中、符号１１は床板上に敷設されたマットであり、１２は下部横桟２，５に設けられたキャスター、１３は前部側枠８を閉位置に保持する第二のロック装置である。
【００１６】
ところで、前記短辺側の側枠６，７は、特に図３（ａ）（ｂ）に示すように、それぞれ左右の後部コーナ支柱１ｂ，１ａにそれぞれ固設された幅狭の固定側枠部１４と、互いに蝶番１５によって連結され、その蝶番１５によって中央部で内方に折り畳み可能とされた２個の側枠部１６ａ，１６ｂによって構成されている。そして、上記側枠部１６ａの外側部が左右の固定側枠部１４にそれぞれ図示しない蝶番によって揺動可能に連結され、側枠部１６ｂの外側部が前部コーナ支柱１ｃ，１ｄに図示しない蝶番によって揺動可能に連結されている。
【００１７】
上記側枠部１６ａ及び１６ｂの互いに隣接する縦縁部材１６ａ１及び１６ｂ１のいずれか一方には横方向に貫通孔が設けられ、他方には植込みナット１７が設けられており、図３（ａ）に示すように両側枠部１６ａ，１６ｂを開いた状態にしたとき、上記貫通孔に挿入したボルト１８を植込みナット１７に螺着することによって両側枠部１６ａ，１６ｂが一体になるようにしてある。
【００１８】
また、側枠部１６ｂの下縁部材１６ｂ２には貫通孔１９が穿設されており、側枠部材１６ａの下縁部材１６ａ２には、図３（ｂ）に示すように、両側枠部１６ａ，１６ｂを折り畳んだとき上記貫通孔１９と対向する位置に植込みナット２０が設けられている。しかして、両側枠部１６ａ，１６ｂを折り畳み、上記貫通孔１９にボルト２１を挿通し、そのボルト２１を植込みボルト２０に螺着することによって、上記両側枠部１６ａ，１６ｂを折り畳んだ状態に固定することができる。
【００１９】
さらに、側枠部１６ａの下縁部材１６ａ２には、固定側枠部１４の近傍部に床板２２を支持するピン２３が突設されている。しかして、ベットの使用時には上記床板２２の一側縁部を上部横桟４に載置し、他側縁部をピン２３上に載置することによって、床板２２が水平に支持される。そして、前記側枠部１６ｂの下縁部材１６ｂ２に突設されている貫通孔１９に前記折り畳み状態を保持するためのボルト２１を挿通し、床板２２に設けられている植込みナット（図示せず）に螺着することによって、床板２２のずれを防止するようにしてある。
【００２０】
また、床板２２には前部側枠８寄りの中央部に取手用の開口２４が設けられており、さらに左右の後部コーナ支柱１ａ，１ｂを連結する下部横桟２には床板２２の収納時にその床板２２を支持する床板支持具２５が設けられている。
【００２１】
しかして、ベットの使用時には、図１或は図３（ａ）に示すように、側枠部１６ａ，１６ｂを同一平面上になるようにし、側枠部１６ｂの縦縁部材１６ｂ１に設けられた貫通孔に挿通されたボルト１８を、側枠部１６ａの縦縁部材１６ａ１に設けられている植込みナット１７に螺着し、両側枠部１６ａと１６ｂを展開状態に固定する。そして、床板２２を上部横桟４及びピン２３上に載置し、ボルト２１を側枠部１６ｂの貫通孔１９に挿通し床板２２の植込みナットに螺着することによって床板２２を側枠部１６ｂに固定し、床板２２がずれないようにする。そして、上記床板２２上にマットを敷くことによって乳幼児をベット内に寝かせることができる。
【００２２】
一方、ベットを収納する時には、マットを取り除いた後、床板固定用のボルト２１を抜き取り、床板２２の取手用の開口２４に指を掛け、床板２２の手前側（前部側枠側）を持ち上げながら後方に押すと、床板２２の他側縁部がピン２２に支持された状態で、図３（ａ）の一点鎖線で示すように傾斜状態となる。そこで、さらに床板２２の取手用開口２４部を後方に押しながら下降させると、床板２２はピン２３によって案内され、図３（ａ）の２点鎖線で示すようにほぼ垂直状態になり、後部側枠３、折り畳まれた側枠部材１６ａ、及び固定側枠部１４で形成される空間内において床板支持具２５によってその下端が支持される。したがって、その後両側枠部１６ａ，１６ｂを互いに固定しているボルト１８を抜き取り、両側枠部１６ａ，１６ｂを内側に折り畳み、前記床板２２の固定用に使用していたボルト２１を側枠部１６ｂの貫通孔１９に挿通し植込みナット２０に螺着することによって、図３（ｂ）に示すようにベットを折り畳み状態に保持することができる。
【００２３】
そして、垂直状態とした床板２２と後部側枠３との間にベットから取り除いたマット１１を挿入し、床板２２とマット１１を折り畳まれたベッドの枠体内に収容することによって、ベットの枠体と床板及びマットを一体に小さくまとめることができる。
【００２４】
図４にベットを折り畳んだ状態を示す。
【００２５】
【発明の効果】
本発明は上述のように構成したので、床板支持用のピンが床板収納位置への移動時における案内部材の作用を行い、ベットの折り畳み操作を容易に行うことができるとともにベット本体と床板とを小さくまとめることができる。しかも、ベットを折り畳んだとき、床板を下部横桟の床板支持具によって支持させることにより重心が下方に位置し、安定性を得ることができる。また、床板自体はベット本体から分離しているので、床板の交換等のメンテナンスもきわめて容易に行うことができる。
【図面の簡単な説明】
【図１】本発明のベビーベットの概略構成を示す斜視図。
【図２】本発明のベビーベットの前部側枠を下方の開位置に移動させた状態を示す斜視図。
【図３】（ａ）は本発明のベビーベットの展開時の縦断側面図、（ｂ）は折り畳み状態時の縦断側面図。
【図４】本発明のベビーベットの折り畳んだ状態時の斜視図。
【符号の説明】
１ａ，１ｂ，１ｃ，１ｄ  コーナ支柱
２  下部横桟
３  後部側枠
４  上部横桟
５  下部横桟
６，７  短辺側の側枠
８  前部側枠
９  溝
１０  スライドラッチ
１４  固定側枠部
１６ａ，１６ｂ  側枠部
１７，２０  植込みナット
１８，２１  ボルト
１９  貫通孔
２２  床板
２３  ピン
２４  取手用開口
２５  床板支持具
【図１】
0004463366.tif 000002
【図２】
0004463366.tif 000003
【図３】
0004463366.tif 000004
【図４】
0004463366.tif 000005